(57)【要約】【課題】カバー体５を手で触れることがなく、ロールペーパー３７を自動的に回転動させ、次の使用のための摘み代をカバー体５の正面端縁から繰り出させるロールペーパーホルダーを提供する。【解決手段】基端回転軸に板カム８、案内ピン１１及び錘１２を供回り可能に取り付けている。板カム８の最突出縁部８０１で従節シャフト１３を上昇させ、案内ピン係止壁１７に案内ピン１１が係止状態でペーパーを繰り出し可能にしている。ペーパーが引き出し力から解放されると錘１２の重力で基端回転軸７は正面方に回転し、この回転量分のペーパーが繰り出される。【選択図】図６
2018143736.tif 000002
【特許請求の範囲】
【請求項１】
ロールペーパー保持部材を回転可能に軸架する１対の側部材と、
該側部材を連結する背面部材と、
前記側部材と前記背面部材で囲まれる空間部上方にて起伏し、正面端縁にペーパー切断機能を具備するカバー体とよりなるロールペーパーホルダーであって、
前記対となる側部材のうち一方の側部材は、前記ロールペーパー保持部材の基端回転軸を回転可能に軸架する内側面を具備するケーシングを背面部材の一方の側縁に取り付け、
前記ケーシングには前記ロールペーパー保持部材の回転駆動手段を内装し、
該回転駆動手段は、前記ケーシング内に於ける基端回転軸に固着された板カム、錘及び基端回転軸の軸心線と平行な位置関係に設けられた案内ピンを基端回転軸と供回り可能に取り付け、
前記板カムの上方には板カムの回転運動を上下運動に変換する従節シャフトを設け、該従節シャフトの上端には案内ピン係止片を、下端には接触片を設け、
板カムが従節を上昇させることで案内ピン係止片が最上位置に達したときに、案内ピンが案内ピン係止片に当接係止可能に、基端回転軸の軸心を中心とする板カムの最突出縁部と案内ピンの離隔角度は設定され、
基端回転軸の軸心を中心として案内ピン取付位置と錘の重心位置の離隔角度は０度を越えて１８０度未満に設定され、且つロールペーパー保持部材の回転方向に於いて前方側に錘が設けられ、
前記対となる側部材のうち他方の側部材は、前記ロールペーパー保持部材の先端回転軸を軸架可能な軸孔を設けた板状物を前記背面部材の他方の側縁に枢着し、
他方の側部材を背面と鈍角をなすように回動させると、ロールペーパーを先端回転軸側からロールペーパー保持部材に取り付け可能に先端回転軸は他方の側部材から解放され、
他方の側部材を一方の側部材内側面と平行な位置関係にすると、他方の側部材に先端回転軸を軸架可能にしたことを特徴とするロールペーパーホルダー。
【請求項２】
上記ロールペーパー保持部材は、上記基端回転軸の内端に設けた取付部に横方向に長く外面が湾曲面よりなる１対の挿し込み片を凹部を対向させて取り付け、
一方の挿し込み片の基部は前記取付部に固定的に取り付けられ、先端内側面には立上り片を設け、該立上り片には前記基端回転軸と同軸上に設けられる先端回転軸を具備すると共に、係合受け部を有し、
他方の挿し込み片の基部は一方の挿し込み片の基部に枢着されて前記取付部に取り付けられ、先端内側面には前記係合受け部と係合可能な係止爪を設けたことを特徴とする請求項１に記載のロールペーパーホルダー。
【発明の詳細な説明】
【技術分野】
【０００１】  本発明は、カバー体の正面端縁に設けたペーパー切断刃でロールペーパーを切断後に、ロールペーパーが自動的に正面方向に一定量周回し、次に使用する際の摘み代としてカバー体の正面端縁から一定長さのペーパーが繰り出し垂下するようにしたロールペーパーホルダーに関する。
【背景技術】
【０００２】  ロールペーパーホルダーとしては、鋸歯状の歯車部が形成されロールペーパーと供回り可能に構成された軸と、カバーから垂下して揺動可能に取り付けられカバーが軸から離間する際にのみ軸の歯車部と噛合する歯付き部材と、ロールペーパーが繰り出される直前にロールペーパーの最外周部を一旦浮かせる剥離部材とを備え、カバーの押し下げ及び解除によりロールペーパーを所定角度回転させて繰り出し可能にし、任意の長さを引き出し後、カバーを押し下げてロールペーパーを切断し、カバーより手を離すと、次の使用に最適な長さが引き出されるようにしたものが提案されている（例えば、特許文献１参照）。
特許文献１に開示のロールペーパーホルダーであると、手がカバーに触れ、手指に付着している大腸菌等の雑菌や糞尿がカバーに付着するおそれがあり不衛生であるという問題点があった。
カバー本体の押し下げ後の、押し下げ前のカバー体位置への復元により芯部材を回転駆動する手段によりロール体を回転させ、ロールペーパー先端部を垂下させるロールペーパーホルダーが開示されている（例えば、特許文献２参照）。
特許文献２に開示のロールペーパーホルダーであると、カバー体を手で押し下げるために、カバー体に手指に付着した大腸菌等の雑菌や糞尿が付着するおそれがあり、カバー体の衛生状態が保持されないという問題点があった。
上部にピンを有し円弧状溝内に沿って回転動可能な刃部の廻り止め辺を具備した回転支持アームと、先端にフック部を設けたクランクとをフック部とピンが係脱可能に設けられた自動摺動突出引込み機構と、裏面先端に爪を表面中央に突起を、裏面先端にストッパー辺を具備した刃部とを有し、ホルダー本体内を昇降するケースにロールペーパーを抱持させ、ホルダー本体の側端縁部及びケースの端縁部の相互部位に架設されたロールペーパーの引き出された先端縁部が挟持され、ペーパー端部を手前に引きロールペーパーを回転しペーパーが適宜量繰り出されると、ホルダー本体の側端縁部よりカッターを突出させ、このカッター刃部の突出により引っ張られたペーパーは切断され、突起と側端縁部が外れ刃部はホルダー本体の側端縁部に引き込み、ペーパーの端部をホルダー本体の側端縁部の外に残存させて、次の使用の摘み代とするようにしたロールペーパーホルダーが提案されている（例えば、特許文献３参照）。
特許文献３に開示の片手操作によるロールペーパーホルダーは、ペーパーを引かなくなると、突起と側端縁部による係止状態が解除され、刃部はスプリングの復元力で側端縁部より引き込む構成であり、本願発明の構成とは別異である。
押込み回動板と追従紙切板を重合してカバー体として装着し、押込回動板及び扇状歯形板を手で押さえ込んだ状態でロールペーパーを手前に繰り出し先端部を追従紙切板で切離後、押込回動板から手を離すという作業を、使用後に再度行い所望量のペーパーをカバー体の正面端縁から正面方に露出させることが開示されている（例えば、特許文献４参照）。
特許文献４に開示の巻紙保持機器具であると、押込回動板及び扇状歯形板を手で押圧しなければペーパーの切断ができず面倒であり、特に、爪に装飾を施した女性にとっては爪が痛むおそれがあるという問題点があった。又、次の使用の便宜のために、使用後に自動的に摘み用の紙が出てくるのではなく、押込回動板及び扇状歯形板を手で押圧状態下で、ペーパーを手前に引き出すという人為的作業をする必要があり、排便後の人の手指に付着した大腸菌等の雑菌や糞尿が押込回動板及び扇状歯形板に付着するおそれがあり、カバー体の衛生状態が保持されないという問題点があった。
又、上記特許文献１〜４に開示の発明は何れもペーパーを切断するときにロールペーパーが回転するので、切断が困難であるという問題点があった。
上記従来例の問題点に鑑みて、本願発明者はロールペーパーをカバー体正面端縁の切断刃で切断と同時に自動的にロールペーパーが正面方に回転させることで、カバー体の正面端縁よりロールペーパーが一定長さ繰り出されるロールペーパーホルダーを創案し、特願２０１４−１７７５１３として特許出願した（特許文献５参照）。特許文献５に開示のロールペーパーホルダーは、使用のためのロールペーパー切断と同時に次の使用のためのロールペーパーの摘み部がカバー体正面端縁から正面方に垂下するので、手指がロールペーパーホルダーやカバー体等を触れることなく衛生的であり、また、使用者の爪等を損傷しないという長所がある。
【先行技術文献】
【特許文献】
【０００３】
【特許文献１】特開２００３−４７２号公報
【特許文献２】特開２０１３−１９８７１４号公報
【特許文献３】特開２００８−２２０８９９号公報
【特許文献４】特開２００９−１０６７１７号公報
【特許文献５】特開２０１６−４１２２９号公報
【発明の概要】
【発明が解決しようとする課題】
【０００４】  本願発明は特願２０１４−１７７５１３に係る出願発明と比較して、ロールペーパーの把持力を向上させ、又、少ない部品点数で軽量化、低コスト化、及び耐久性を図ったロールペーパーホルダーを提供することを目的とする。
【課題を解決するための手段】
【０００５】  上記目的を達成するために本願発明のうち請求項１に記載の発明は、ロールペーパー保持部材を回転可能に軸架する１対の側部材と、該側部材を連結する背面部材と、前記側部材と前記背面部材で囲まれる空間部上方にて起伏し、正面端縁にペーパー切断機能を具備するカバー体とよりなるロールペーパーホルダーであって、前記対となる側部材のうち一方の側部材は、前記ロールペーパー保持部材の基端回転軸を回転可能に軸架する内側面を具備するケーシングを背面部材の一方の側縁に取り付け、前記ケーシングには前記ロールペーパー保持部材の回転駆動手段を内装し、該回転駆動手段は、前記ケーシング内に於ける基端回転軸に固着された板カム、錘及び基端回転軸の軸心線と平行な位置関係に設けられた案内ピンを基端回転軸と供回り可能に取り付け、前記板カムの上方には板カムの回転運動を上下運動に変換する従節シャフトを設け、該従節シャフトの上端には案内ピン係止片を、下端には接触片を設け、板カムが従節を上昇させることで案内ピン係止片が最上位置に達したときに、案内ピンが案内ピン係止片に当接係止可能に、基端回転軸の軸心を中心とする板カムの最突出縁部と案内ピンの離隔角度は設定され、基端回転軸の軸心を中心として案内ピン取付位置と錘の重心位置の離隔角度は０度を越えて１８０度未満に設定され、且つロールペーパー保持部材の回転方向に於いて前方側に錘が設けられ、前記対となる側部材のうち他方の側部材は、前記ロールペーパー保持部材の先端回転軸を軸架可能な軸孔を設けた板状物を前記背面部材の他方の側縁に枢着し、他方の側部材を背面と鈍角をなすように回動させると、ロールペーパーを先端回転軸側からロールペーパー保持部材に取り付け可能に先端回転軸は他方の側部材から解放され、他方の側部材を一方の側部材内側面と平行な位置関係にすると、他方の側部材に先端回転軸を軸架可能にしたことを特徴とする。
請求項２に記載の発明は、請求項１に記載のロールペーパーホルダーのロールペーパー保持部材を、上記基端回転軸の内端に設けた取付部に横方向に長く外面が湾曲面よりなる１対の挿し込み片を凹部を対向させて取り付け、一方の挿し込み片の基部は前記取付部に固定的に取り付けられ、先端内側面には立上り片を設け、該立上り片には前記基端回転軸と同軸上に設けられる先端回転軸を具備すると共に、係合受け部を有し、他方の挿し込み片の基部は一方の挿し込み片の基部に枢着されて前記取付部に取り付けられ、先端内側面には前記係合受け部と係合可能な係止爪を設けたことを特徴とする。
【発明の効果】
【０００６】  使用のためのペーパー切断と略同時に同一長さのペーパーがカバー体正面端縁より繰り出されて垂下し、この繰り出されたペーパーが次の使用の摘み代となるので、カバー体等に手指が触れることがなく、自動的に摘み代としてのペーパーが繰り出されるので衛生的であるという効果がある。
案内ピンが案内ピン係止片に係止され、使用者はロールペーパー周回停止状態下でペーパーを切断するので、ロールペーパーを幅方向に一直線状に切断できるという効果がある。
【図面の簡単な説明】
【０００７】
【図１】カバー体を開いた状態において、案内ピンが案内ピン係止片に当接する直前の側部材内部状態を示すロールペーパーホルダーの一部切欠正面説明図である。（実施例１）
【図２】カバー体を開いた状態における、錘が最下位置に移動したときの側部材内部状態を示すロールペーパーホルダーの一部切欠正面説明図である（実施例１）
【図３】ロールペーパーの先端を正面方に引き出しているときの錘、板カム、案内ピン、及び案内ピン係止片の作動状態を示す側面説明図である。（実施例１）
【図４】引き出されたロールペーパーを切断直後の錘、板カム、案内ピン、及び案内ピン係止片の作動状態を示す側面説明図である。（実施例１）
【図５】繰り出されたペーパーと、錘が最下位置に移動した側面説明図である。（実施例１）
【図６】側部材の内部構造を示す斜視説明図である。（実施例１）
【図７】係合受け部から係止爪を離脱させた状態のロールペーパー保持部材の背面図である。（実施例１）
【図８】ロールペーパー保持部材の拡大左側面図である。（実施例１）
【図９】図７のＡ−Ａ線拡大断面図である。（実施例１）
【図１０】ラチェットギアとラチェット爪が取り付けられたロールペーパー保持部材の一端面を示す斜視説明図である。（実施例１）
【図１１】ロールペーパー保持部材にロールペーパーを取り付ける方法を示す正面説明図である。（実施例１）
【図１２】ロールペーパー保持部材にロールペーパーに挿し込んで装着した状態を示す正面説明図である。（実施例１）
【図１３】係合受け部に係止爪を係合した状態を示す拡大断面説明図である。（実施例１）
【図１４】係合受け部から係止爪を離脱させている状態を示す拡大断面説明図である。（実施例１）
【発明を実施するための形態】
【０００８】  板カムが従節シャフトを上昇させることで案内ピン係止片が最上位置に達したときに、案内ピンが案内ピン係止片に当接係止可能に基端回転軸の軸心を中心とする板カムの最突出縁部と案内ピンの離隔角度は設定されていることで、基端回転軸が停止状態でロールペーパーを切断し、基端回転軸の軸心を中心として案内ピン取付位置と錘の重心位置の離隔角度は０度を越えて１８０度未満に設定され、且つ基端回転軸に錘が案内ピンの回転方向前側に設けられていることで、ロールペーパー切断後に錘の重力により基端回転軸は錘が基端回転軸の真下に位置するように正面方に回転し、この回転量分のロールペーパーがカバー体正面端縁より繰り出され垂下し次の使用のための摘み代となることを実現した。
【実施例１】
【０００９】  図面に基いて実施例１を説明する。ロールペーパーホルダー１は、壁面に取り付けるための背面部材２と、一方の側部材３と、他方の側部材４と、一方の側部材３と他方の側部材４と背面部材と２で囲まれる空間部の上方にて起伏動する正面端縁に紙切断機能を具備するカバー体５、及び一方の側部材３と他方の側部材４との間に回転可能に軸架されるロールペーパー保持部材６よりなる。一方の側部材３は背面部材２の一方の側縁に固着され、他方の側部材４は背面部材２の他方の側縁に枢着され、一方の側部材３と他方の側部材４は対向する位置に設けられている。【００１０】  背面部材２は矩形板状物よりなり、壁面への取り付け手段を具備する。背面部材２の対向する縦方向に延びる両側縁には側部材３、４を設け、側部材３、４のうち一方の側部材３はケーシングよりなる。一方の側部材３内側面３０１は、背面部材２の正面と９０度の角度を有して正面方に延設されている。基端回転軸７は内側面３０１を回転可能に貫通して一方の側部材３の内側面３０１に軸架されている。【００１１】  基端回転軸７のうち一方の側部材３の中空部に配設される部分には、板カム８、案内ピン用腕杆９及び錘用腕杆１０が基端回転軸７と供回りするように固着されている。案内ピン用腕杆９の外端には、基端回転軸７と平行な位置関係で、且つ先端が内側面３０１を向く案内ピン１１が設けられている。錘用腕杆１０の外端には錘１２が設けられている。板カム８の真上には、板カム８の回転運動を上下運動に変換する従節シャフト１３が配設されている。支持部１４は内側面３０１の内壁に固定的に取り付けられ、従節シャフト１３が摺動する摺動溝が上下方向に貫設されている。基端回転軸７と従節シャフト１３は、従節シャフト１３の軸心線の下方延長線が基端回転軸７の軸心線と直交する位置関係に配設されている。従節シャフト１３の下端には接触片１５を設けている。基端回転軸７の回転により、板カム８の縁部のうち最も突出する最突出縁部８０１が接触片１５に当接し、従節シャフト１３を上昇させるようにしている。従節シャフト１３の上端には、案内ピン係止片１６を設けている。案内ピン係止片１６は、基端回転軸７の回転方向（正面方向）とは反対側面を案内ピン１１の周面を係止可能な案内ピン係止壁１７に形成され、上端縁は背面側から正面側にかけて下傾する傾斜面に形成されている。接触片１５の上面と支持部１４の下面との間には、接触片１５を押し下げる方向に付勢するバネ１８を介在させている。接触片１５の一側面には、歯を外側を向けてラック１９が取り付けられている。ラック１９は、従節シャフト１３の軸心線と平行な位置関係になるように接触片１５の背面に取り付けられている。内側面３０１の内壁には、ラック１９と噛合するピニオン２０が取り付けられている。【００１２】  基端回転軸７のうち一方の側部材３の中空部に配設される部分には、案内ピン用腕杆９の基部が取り付けられている。案内ピン用腕杆９の先端には内側面３０１の内壁方に向く案内ピン１１が取り付けられている、基端回転軸７の軸心から案内ピン用腕杆９の案内ピン１１の取付位置までの基端回転軸７の半径外方向直線距離は、案内ピン係止片１６が最上位置に位置したときの基���回転軸７の軸心から案内ピン係止壁１７の縦方向中途位置と略同じで、案内ピン係止片１６が下降したときの基端回転軸７の軸心から案内ピン係止壁１７の頂部までの直線距離よりは長く設定されている。板カム８の最突出縁部８０１が接触片１５を押し上げたときに、案内ピン係止壁１７に案内ピン１１が当接するように、最突出縁部８０１と案内ピン１１の位置が設定されている。【００１３】  基端回転軸７のうち一方の側部材３の中空部に配設される部分に、錘用腕杆１０が固定的に取り付けられている。錘用腕杆１０の外端には錘１２が設けられている。基端回転軸７の軸心を中心として、錘１２の重心と案内ピン１１との離隔角度は０度を超えて１８０度未満に設定されている。【００１４】  背面部材２の他方の上端には枢軸取付片２１が設けられている。一方の側部材３の内側面３０１と枢軸取付片２１にはカバー体５が起伏動可能に枢着されている。内側面３０１とカバー体５とを枢着する枢軸２２にはレバー２３が連続的に設けられている。内側面３０１の内壁には取付片２４が固着され、捩じりバネ２５の一端はレバー２３に固着され、他端は取付片２４に固着されて、枢軸２２が正面方に回転するように付勢してカバー体５を伏せるようにしている。【００１５】  基端回転軸７にはロールペーパ保持部材６が取り付けられている。ロールペーパー保持部材６は、基端回転軸７の端部に設けた取付部２６と、取付部２６を介して取り付けられた１対の挿し込み片２７、２８と、挿し込み片２７、２８を離隔する方向に付勢するバネ２９、挿し込み片２７、２８の先端を係合する手段及び先端回転軸３０よりなる。基端回転軸７の端部には所定厚の取付部２６を取り付けている。取付部２６の内側面３０１と対向する一端面にはラチェット機構を有している。つまり、取付部の一端面には基端回転軸７をラチェット軸と共用してラチェットギア３１を設けている。３２はラチェット爪であって、ラチェットギア３１の歯溝に食い込んで基端回転軸７の背面方向への回転を阻止する。挿し込み片２７、２８は、縦断面円弧状で外面が膨出した彎曲面の短冊状に形成されている。取付部２６には挿し込み片２７の基部が固着されている。挿し込み片２８の基部が挿し込み片２７の基部に枢着３３されて取付部２６に取り付けられている。挿し込み片２７の先端内側面には立上り片３４を設けている。立上り片３４には、基端回転軸７と同軸上に設けられた先端回転軸３０を設けている。立上り片３４には、係合受け部３５を設けている。挿し込み片２８の先端内側面には、係合受け部３５と係合可能な係止爪３６を設けている。挿し込み片２７と挿し込み片２８の対向内側面間には離隔方向に付勢するバネ２９を介在させている。【００１６】  次に作用について説明する。他方の側部材４を回動し背面部材２の正面と側部材４のなす角度を鈍角にし開く。係止爪３６を係合受け部３５に係合後、挿し込み片２７、２８をロールペーパー３７の芯中空部に挿通してロールペーパー保持部材６にロールペーパー３７を取り付ける。次に、係止爪３６を係合受け部３５から外すと、バネ２９の復元力で挿し込み片２７、２８の対向面は離隔する。ロールペーパー３７の中空芯には挿し込み片２７、２８の外面が圧接し、��ールペーパー３７はロールペーパー保持部材６に安定的に保持される。錘１２は重力により、基端回転軸７の真下に位置している。
ロールペーパー３７を正面方に引き出すと、基端回転軸７及び先端回転軸３０はロールペーパー３７の回転動と共に同期回転する。錘１２と案内ピン１１及び板カム８は、基端回転軸７と供回りをする。錘１２は基端回転軸７の真上を通過し、板カム８の最突出縁部８０１が接触片１５を押し上げて従節シャフト１３は上昇し、案内ピン係止片１６も上昇する。案内ピン係止片１６が上昇状態で、基端回転軸７の回転により案内ピン１１が案内ピン係止壁１７に係止され、錘１２は基端回転軸７の正面方に位置した状態で基端回転軸７は停止する。基端回転軸７、つまりラチェット軸が停止状態で、ラチェット爪３２と共にロールペーパー保持部材６は正面方向に回転動する。ロールペーパー３７を切断すると、錘１２の重力で基端回転軸７は正面方向に回転し、錘１２は基端回転軸７の真下に移動して配設され、錘１２の回転量と同量のロールペーパー３７がカバー体５の正面端縁から繰り出されて次の使用のための摘み代となる。
【符号の説明】
【００１７】１  ロールペーパーホルダー
２  背面部材
３  一方の側部材
４  他方の側部材
５  カバー体
６  ロールペーパー保持部材
７  基端回転軸
８  板カム
８０１  最突出縁部
１１  案内ピン
１２  錘
１３  従節シャフト
１５  接触片
１６  案内ピン係止片
１７  案内ピン係止壁
２６  取付部
２７、２８  挿し込み片
３０  先端回転軸
３３  枢着
３４  立上り片
３５  係合受け部
３６  係止爪
３７  ロールペーパー
【図１】
2018143736.tif 000003
【図２】
2018143736.tif 000004
【図３】
2018143736.tif 000005
【図４】
2018143736.tif 000006
【図５】
2018143736.tif 000007
【図６】
2018143736.tif 000008
【図７】
2018143736.tif 000009
【図８】
2018143736.tif 000010
【図９】
2018143736.tif 000011
【図１０】
2018143736.tif 000012
【図１１】
2018143736.tif 000013
【図１２】
2018143736.tif 000014
【図１３】
2018143736.tif 000015
【図１４】
2018143736.tif 000016